【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
インクを吐出する複数のノズルが第１の方向に配列して成る記録ヘッドを用い、前記記録ヘッドに対し記録媒体を前記第１の方向と交差する第２の方向に相対的に移動させながら前記記録媒体に画像を記録するインクジェット記録装置であって、
各画素に対するインクの吐出または非吐出を定める記録データを生成する生成手段と、
前記記録ヘッドに含まれる吐出不良ノズルの情報を取得する取得手段と、
前記記録データにおいて前記情報が示す吐出不良ノズルに対応する画素に対してインクの吐出が定められている場合、前記吐出不良ノズルと異なる補完先ノズルから当該画素に対してインクを吐出するように、前記記録データを補完する補完手段と、を有し、
前記補完手段は、補完先ノズルは前記情報が示す吐出不良ノズルでないという第１の条件と、前記補完先ノズルに対応し、前記補完の対象となる画素から前記第１の方向においてＮ（ＮはＮ≧１を満たす整数）個目の画素に対してはインクの吐出が定められていないという第２の条件と、の両方を満たすように、前記補完先ノズルを決定することを特徴とするインクジェット記録装置。
【請求項２】
前記補完手段は、前記補完先ノズルに対応する画素に対する前記第２の方向における周囲のＭ（ＭはＭ≧１を満たす整数）個の画素に対してはインクの吐出が定められないという第３の条件と、を更に満たすように、前記補完先ノズルを決定することを特徴とする請求項１に記載のインクジェット記録装置。
【請求項３】
インクを吐出する複数のノズルが第１の方向に配列して成る記録ヘッドを用い、前記記録ヘッドに対し記録媒体を前記第１の方向と交差する第２の方向に相対的に移動させながら前記記録媒体に画像を記録するインクジェット記録装置であって、
各画素に対するインクの吐出または非吐出を定める記録データを生成する生成手段と、
前記記録ヘッドに含まれる吐出不良ノズルの情報を取得する取得手段と、
前記記録データおいて前記情報が示す吐出不良ノズルに対応する画素に対してインクの吐出が定められている場合、前記吐出不良ノズルと異なる補完先ノズルから当該画素に対してインクを吐出するように、前記記録データを補完する補完手段と、を有し、
前記補完手段は、補完先ノズルは前記情報が示す吐出不良ノズルでないという第１の条件と、前記補完先ノズルに対応し、前記補完の対象となる画素から前記第２の方向においてＭ（ＭはＭ≧１を満たす整数）個目の画素に対してはインクの吐出が定められていないという第２の条件と、の両方を満たすように、前記補完先ノズルを決定することを特徴とするインクジェット記録装置。
【請求項４】
前記記録ヘッドには、それぞれ複数のノズルが第１の方向に配列して成る複数のノズル列が前記第２の方向に並んで配置されており、
前記生成手段は、画像データを前記複数のノズル列に分配することにより、前記複数のノズル列それぞれに対応する複数の記録データを生成することを特徴とする請求項１ないし３のいずれか１項に記載のインクジェット記録装置。
【請求項５】
前記補完手段は、前記第１の条件と前記第２の条件の両方を満たす複数の補完先候補ノズルを決定し、前記複数の補完先候補ノズルの中から１つの前記補完先ノズルを決定することを特徴とする請求項４に記載のインクジェット記録装置。
【請求項６】
前記補完手段は、補完先ノズルの優先順位が定められた優先度情報に従って、前記複数の補完先候補ノズルの中から１つの前記補完先ノズルを決定することを特徴とする請求項５に記載のインクジェット記録装置。
【請求項７】
前記複数のノズル列のうちの一部のノズル列は前記第１の方向に互いに同じ位置に配置され、且つ、他部のノズル列は前記第１の方向に互いに異なる位置に配置され、
所定のノズル列における前記優先度情報は、前記所定のノズル列と前記第１の方向における位置が同じ位置であるノズル列内のノズルほど優先されるように、前記補完先ノズルの優先順位が定められていることを特徴とする請求項６に記載のインクジェット記録装置。
【請求項８】
所定のノズル列における前記優先度情報は、前記所定のノズル列と前記第２の方向に近いノズル列内のノズルほど優先されるように、前記補完先ノズルの優先順位が定められていることを特徴とする請求項６または７に記載のインクジェット記録装置。
【請求項９】
前記記録ヘッドの前記複数のノズルは前記第１の方向に前記記録媒体に対応する長さ配列され、
前記記録媒体を移動させる移動手段を有し、
前記移動手段が前記記録媒体を移動させながら前記記録ヘッドからインクを吐出することによって前記記録媒体に画像を記録する請求項１ないし８のいずれか１項に記載のインクジェット記録装置。
【請求項１０】
前記記録媒体の単位領域に対して、前記記録ヘッドと前記記録媒体を相対的に移動させながらインクを吐出する複数回の記録走査を行う走査手段を更に有し、
前記生成手段は、画像データを前記複数回の記録走査に分配することにより、前記複数回の記録走査それぞれに対応する複数の記録データを生成することを特徴とする請求項１ないし３のいずれか１項に記載のインクジェット記録装置。
【請求項１１】
前記補完手段による前記記録データの補完が行われた後の記録データは、各ノズルの駆動率が１／（Ｎ＋１）未満となるように定められていることを特徴とする請求項１に記載のインクジェット記録装置。
【請求項１２】
前記補完手段による前記記録データの補完が行われた後の記録データは、各ノズルの駆動率が１／（Ｍ＋１）未満となるように定められていることを特徴とする請求項３に記載のインクジェット記録装置。
【請求項１３】
インクを吐出する複数のノズルが第１の方向に配列して成る記録ヘッドを用い、前記記録ヘッドに対し記録媒体を前記第１の方向と交差する第２の方向に相対的に移動させながら前記記録媒体に画像を記録するインクジェット記録方法であって、
各画素に対するインクの吐出または非吐出を定める記録データを生成する生成工程と、
前記記録ヘッドに含まれる吐出不良ノズルの情報を取得する取得工程と、
前記記録データにおいて前記情報が示す吐出不良ノズルに対応する画素に対してインクの吐出が定められている場合、前記吐出不良ノズルと異なる補完先ノズルから当該画素に対してインクを吐出するように、前記記録データを補完する補完工程と、を有し、
前記補完工程は、補完先ノズルは前記情報が示す吐出不良ノズルでないという第１の条件と、前記補完先ノズルに対応し、前記補完の対象となる画素から前記第１の方向においてＮ（ＮはＮ≧１を満たす整数）個目の画素に対してはインクの吐出が定められていないという第２の条件と、の両方を満たすように、前記補完先ノズルを決定することを特徴とするインクジェット記録方法。
【請求項１４】
前記補完工程は、前記補完先ノズルに対応する画素に対する前記第２の方向における周囲のＭ（ＭはＭ≧１を満たす整数）個の画素に対してはインクの吐出が行われないという第３の条件と、を更に満たすように、前記補完先ノズルを決定することを特徴とする請求項１３に記載のインクジェット記録方法。
【請求項１５】
インクを吐出する複数のノズルが第１の方向に配列して成る記録ヘッドを用い、前記記録ヘッドに対し記録媒体を前記第１の方向と交差する第２の方向に相対的に移動させながら前記記録媒体に画像を記録するインクジェット記録方法であって、
各画素に対するインクの吐出または非吐出を定める記録データを生成する生成工程と、
前記記録ヘッドに含まれる吐出不良ノズルの情報を取得する取得工程と、
前記記録データにおいて前記情報が示す吐出不良ノズルに対応する画素に対してインクの吐出が定められている場合、前記吐出不良ノズルと異なる補完先ノズルから当該画素に対してインクを吐出するように、前記記録データを補完する補完工程と、を有し、
前記補完工程は、補完先ノズルは前記情報が示す吐出不良ノズルでないという第１の条件と、前記補完先ノズルに対応し、前記補完の対象となる画素から前記第２の方向においてＭ（ＭはＭ≧１を満たす整数）個目の画素に対してはインクの吐出が定められていないという第２の条件と、の両方を満たすように、前記補完先ノズルを決定することを特徴とするインクジェット記録方法。
【手続補正２】
【補正対象書類名】明細書
【補正対象項目名】０００９
【補正方法】変更
【補正の内容】
【０００９】
そのために本発明は、インクを吐出する複数のノズルが第１の方向に配列して成る記録ヘッドを用い、前記記録ヘッドに対し記録媒体を前記第１の方向と交差する第２の方向に相対的に移動させながら前記記録媒体に画像を記録するインクジェット記録装置であって、各画素に対するインクの吐出または非吐出を定める記録データを生成する生成手段と、前記記録ヘッドに含まれる吐出不良ノズルの情報を取得する取得手段と、前記記録データにおいて前記情報が示す吐出不良ノズルに対応する画素に対してインクの吐出が定められている場合、前記吐出不良ノズルと異なる補完先ノズルから当該画素に対してインクを吐出するように、前記記録データを補完する補完手段と、を有し、前記補完手段は、補完先ノズルは前記情報が示す吐出不良ノズルでないという第１の条件と、前記補完先ノズルに対応し、前記補完の対象となる画素から前記第１の方向においてＮ（ＮはＮ≧１を満たす整数）個目の画素に対してはインクの吐出が定められていないという第２の条件と、の両方を満たすように、前記補完先ノズルを決定することを特徴とする。